(57)【要約】      （修正有）【課題】容易に装着可能、構成可能、移動可能であるペットの居住場所となる装置を提供する。【解決手段】窓および窓システムの構造が多様である、敷居および窓４０２に装着するための自在型敷居装着可能装置は、自在装着のために選択可能に位置付け可能な脚部１１０Ａを含み、該脚部１１０Ａは、該装置が窓４０２に対して装着されると、プラットフォーム１０２が実質的に水平な姿勢を維持するように、脚部１１０Ａの遠位端３０６が吸盤１０６Ａと実質的に同一直線状であるとともに場所４０６付近で窓４０２に当接するように選択可能に位置付けられる。吸盤１０６Ａは、位置４０４付近で窓４０２に固着されている敷居の幅に少なくとも部分的に基づいて固着される。【選択図】図４Ａ
2019141023.tif 000002
【特許請求の範囲】
【請求項１】
敷居および窓に装着するための敷居装着可能装置であって、前記敷居装着可能装置は、
後縁部および少なくとも１つの装着機構を含むプラットフォームであって、前記少なくとも１つの装着機構は、前記プラットフォームの幅に沿って前記後縁部から離れる方向に延びる、プラットフォームと、
近位端および遠位端を有する脚部であって、前記脚部の前記近位端が前記プラットフォームの下側において前記少なくとも１つの装着機構に固着され、前記敷居の前記幅に少なくとも部分的に基づいて前記少なくとも１つの装着機構に選択可能に位置付け可能である、脚部と、
前記プラットフォームの前記後縁部に動作可能に連結された少なくとも１つの吸盤と、を備え、
前記プラットフォームは、前記装置が前記少なくとも１つの吸盤を介して前記窓に装着された場合、実質的に水平な姿勢を維持し、前記脚部の前記遠位端は、前記敷居に当接する、敷居装着可能装置。
【請求項２】
前記少なくとも１つの装着機構は、複数の装着用開口を含む、請求項１に記載の敷居装着可能装置。
【請求項３】
前記脚部は、前記複数の装着用開口のうちの少なくとも１つに挿入されるように構成された少なくとも１つのフック部材を含む、請求項２に記載の敷居装着可能装置。
【請求項４】
前記プラットフォームの前記後縁部に対して実質的に垂直に延びる少なくとも１つの装着点をさらに備え、前記少なくとも１つの吸盤は、前記少なくとも１つの装着点に固着されている、請求項１に記載の敷居装着可能装置。
【請求項５】
前記脚部は、第１の部材および湾曲部材をさらに含み、前記第１の部材および前記湾曲部材は、前記プラットフォームのための支持を形成するように結合している、請求項１に記載の敷居装着可能装置。
【請求項６】
前記少なくとも１つの装着機構は、前記プラットフォームの前記中間区画付近に位置している、請求項１に記載の敷居装着可能装置。
【請求項７】
前記プラットフォームは、楕円形、正方形、矩形、および円形から選択された形状を含む、請求項１に記載の敷居装着可能装置。
【発明の詳細な説明】
【技術分野】
【０００１】
本開示は、一般に、ペットの居住場所、特に、自在装着のために選択可能に位置付け可能な脚部を備える自在型窓敷居装置に関する。
【背景技術】
【０００２】
家猫は、多くの家庭における一般的なペットである。猫の室内飼育では、猫ならではのニーズに対処する必要がある。たとえば、猫は、高い場所をパーチとして好むことが知られている。高い位置にあるパーチは、猫が脅威を識別することができ、自分の地位を示すことがき、（たとえば、子供、他の動物などから）手の届く範囲から逃れることができ、かつ、運動できるので、猫に快適性および安全性を提供する。これらの利点により、ストレスおよび不安の低減、気分の改善、ならびに全体的により健康的でより良い生活がもたらされる。くわえて、複数の猫を有する家庭はまた、猫たちに別々のパーチを提供することによって、対立および膠着状態を含む、猫による敵対的挙動を目にすることが少なくなる場合がある。
【０００３】
従来のパーチシステムとしては、ツリーハウス、および、猫特有の他の家具が挙げられる。これらの従来のシステムは、多くの場合、床置きであり、家庭内の貴重なスペースを占有してしまう。いくつかの従来のシステムはまた、組み立ておよびメンテナンスのためにかなりの作業が必要な場合がある。さらに、猫は、非常に選り好みをすることが知られており、パーチの最初の場所が猫に好まれない場合があるので、パーチを提供することが問題となる場合がある。このため、猫の飼い主が、猫にとってより望ましい場所へパーチを移動することが必要となる可能性がある。パーチが、新しい場所へ容易に移動可能または適合可能でない場合、移転できない場合があり、パーチとしての価値を減少させてしまう。
【０００４】
他の従来システムとしては、床置きではないシステムが挙げられる。このような例示的なシステムの１つのタイプは、装着場所として、家庭用の窓および窓台を利用している。たとえば、パーチは、窓台に配置されてもよく、窓ガラスに装着されてもよい。窓にまたは窓の近くにパーチを装着するさらなる利点は、猫が、窓を通って入ってくる日光、または外の景色を楽しむことができるという点である。しかしながら、窓に装着可能なパーチには、さまざまな理由で問題がある。一般的に、窓および窓システムの構造は多様である。たとえば、窓台は、様々な奥行きである場合があり、これは、パーチが、かかる台（および窓）の種類専用に作られる必要がある場合があることを意味する。これは、専用に作られたパーチが、様々な装着場所に対して、容易に再構成可能、移動可能、または適応可能ではないので問題である。さらに、ガラス板が割れやすいことを考えると、窓ベースのパーチシステムは、装着の選択肢が限定されている（すなわち、窓にパーチを装着するために釘を使用することができない）。
【０００５】
したがって、容易に装着可能、構成可能、移動可能であるペットの居住場所が必要とされている。したがって、自在型敷居装着可能装置のニーズが存在している。
【発明の概要】
【課題を解決するための手段】
【０００６】
敷居および窓に装着するための敷居装着可能装置が提供される。本開示の少なくとも１つの実施形態において、敷居装着可能装置は、後縁部および少なくとも１つの装着機構を含むプラットフォームを備え、少なくとも１つの装着機構は、プラットフォームの幅に沿って後縁部から離れる方向に延びている。
【０００７】
本開示の少なくとも１つの実施形態において、敷居装着可能装置は、近位端および遠位端を有する脚部を含み、該脚部の近位端は、プラットフォームの下側で、少なくとも１つの装着機構に固着され、かつ敷居の幅に少なくとも部分的に基づいて少なくとも１つの装着機構に選択可能に位置付け可能である。
【０００８】
本開示の少なくとも１つの実施形態において、敷居装着可能装置は、プラットフォームの後縁部に動作可能に連結された少なくとも１つの吸盤を備え、プラットフォームは、少なくとも１つの吸盤を介して装置が窓に装着された場合、実質的に水平な姿勢を維持し、脚部の遠位端は、敷居に当接する。
【０００９】
本開示の少なくとも１つの実施形態において、脚部は、複数の装着用開口のうちの少なくとも１つに挿入されるように構成された少なくとも１つのフック部材を含み、脚部は、第１の部材および湾曲部材をさらに含み、第１の部材および湾曲部材は、プラットフォームのための支持を形成するように結合している。
【００１０】
本開示の少なくとも１つの実施形態において、敷居装着可能装置は、プラットフォームの後縁部に対して実質的に垂直に延びる少なくとも１つの装着点をさらに含み、少なくとも１つの吸盤は、少なくとも１つの装着点に固着されている。
【図面の簡単な説明】
【００１１】
【図１】図１は、一実施形態に係る自在型敷居装着可能装置の上面斜視図である。
【図２】図２は、一実施形態に係る自在型敷居装着可能装置の部分上面図である。
【図３】図３は、一実施形態に係る自在型敷居装着可能装置の脚部の側面図である。
【図４Ａ】図４Ａは、一実施形態に係る、窓に装着された自在型敷居装着可能装置の側面図である。
【図４Ｂ】図４Ｂは、一実施形態に係る、窓および敷居に装着された自在型敷居装着可能装置の側面図である。
【図５】図５は、一実施形態に係る自在型敷居装着可能装置の下面斜視図である。
【図６】図６は、一実施形態に係る自在型敷居装着可能装置の下面斜視図である。
【図７】図７は、一実施形態に係る自在型敷居装着可能装置の部分下面図である。
【図８】図８は、一実施形態に係る自在型敷居装着可能装置の上面斜視図である。
【図９】図９は、一実施形態に係る自在型敷居装着可能装置の上面図である。
【図１０】図１０は、一実施形態に係る自在型敷居装着可能装置の上面斜視図である。
【図１１】図１１は、一実施形態に係る自在型敷居装着可能装置の上面図である。
【図１２】図１２は、一実施形態に係る自在型敷居装着可能装置の背面図である。
【図１３】図１３は、一実施形態に係る自在型敷居装着可能装置の部分下面図である。
【図１４】図１４は、一実施形態に係る自在型敷居装着可能装置の背面斜視図である。
【発明を実施するための形態】
【００１２】
ここで、本開示の好ましい実施形態を詳細に参照することとする。実施形態の例は、添付図面に図示されている。本開示のさらなる特徴および利点は、以下の説明に記載され、その説明から明らかとなるか、あるいは本開示の実施によって知ることができる。前述の概略的説明および以下の詳細な説明の両方は、例示的かつ説明的であり、請求項に記載されている本開示のさらなる説明を提供することを意図していることを理解すべきである。
【００１３】
ここで、図１を参照すると、本開示の少なくとも１つの実施形態に係る自在型敷居装着可能装置１００の上面斜視図が示されている。敷居装着可能装置は、プラットフォーム１０２と、装着点１０４Ａおよび１０４Ｂと、吸盤１０６Ａおよび１０６Ｂと、脚部装着区画１０８Ａおよび１０８Ｂと、脚部１１０Ａおよび１１０Ｂと、を備える。
【００１４】
本開示の少なくとも１つの実施形態において、プラットフォーム１０２は、略平坦な棚部と、前縁部および後縁部と、対向する側周縁部と、を有する、矩形の棚を含む。非限定的な例をごくわずかだけ挙げると、プラットフォーム１０２は、楕円形、正方形、または円形などの任意の形状であってもよいことを理解されたい。
【００１５】
本開示の少なくとも１つの実施形態において、図１に示すように、プラットフォーム１０２は、プラットフォーム１０２の後縁部に位置するとともにプラットフォーム１０２と一体化されている装着点１０４Ａおよび１０４Ｂを含む。装着点１０４Ａおよび１０４Ｂは、プラットフォーム１０２のへり形体であってもよく、へり形体は、後縁部から上方に突出しており、プラットフォーム１０２に対して実質的に垂直であることを理解されたい。明瞭にするために、一対の装着点１０４Ａおよび１０４Ｂのみが、プラットフォーム１０２に位置するように図示されている。しかしながら、プラットフォーム１０２が、プラットフォーム１０２の後縁部および他の縁部のうちの任意に位置する任意の数の装着点を含んでもよいことは、本開示の範囲内である。
【００１６】
本開示の少なくとも１つの実施形態において、装着点１０４Ａおよび１０４Ｂは、それぞれ、吸盤１０６Ａおよび１０６Ｂを受容するように構成されている。吸盤１０６Ａおよび１０６Ｂは、たとえば、（以下に図示およびさらに開示されるように）窓などの他の構造体に敷居装着可能装置１００を取り付けるために使用されることを理解されたい。一対の吸盤１０６Ａおよび１０６Ｂのみが図示されているが、敷居装着可能装置１００は、プラットフォーム１０２の縁部のうちの任意に位置する装着点が存在するとき、任意の数の吸盤を含んでもよいことは、本開示の範囲内であることをさらに理解されたい。
【００１７】
本開示の少なくとも１つの実施形態において、敷居装着可能装置１００は、敷居装着可能装置１００を他の構造体に動作可能に装着するための、たとえば、テープ、接着剤、クランプ、磁石、または当業者に公知の任意の他の固着機構などの、プラットフォーム１０２の縁部における任意の数の固着機構を備えてもよい。
【００１８】
本開示の少なくとも１つの実施形態において、図１に示すように、プラットフォーム１０２は、プラットフォーム１０２の側縁部に平行であるとともにプラットフォーム１０２のおよその長さに広がる、脚部装着区画１０８Ａおよび１０８Ｂを含む。少なくとも１つの実施形態において、プラットフォーム１０２は、１つまたは３つ以上の脚部装着区画１０８を含んでもよい。本開示の少なくとも１つの実施形態において、脚部装着区画１０８Ａおよび１０８Ｂは、互いにかつプラットフォームの側縁部に対して等距離に位置してもよい。本開示の少なくとも１つの実施形態において、脚部装着区画１０８Ａおよび１０８Ｂは、プラットフォーム１０２の中間位置付近に位置してもよい。本開示の少なくとも１つの実施形態において、脚部装着区画１０８Ａおよび１０８Ｂは、プラットフォーム１０２の全幅に沿って延びていてもよい。本開示の少なくとも１つの実施形態において、脚部装着区画１０８Ａおよび１０８Ｂは、プラットフォーム１０２の後縁部からプラットフォーム１０２の幅に沿うおよそ中間位置まで部分的にだけ延びていてもよい。
【００１９】
本開示の少なくとも１つの実施形態において、脚部装着区画１０８Ａおよび１０８Ｂのそれぞれは、少なくとも１つの装着用開口を含む。たとえば、ここで図２を参照して、本開示の少なくとも１つの実施形態に係る脚部装着区画１０８Ａが図示されている。本開示の少なくとも１つの実施形態において、脚部装着区画１０８Ａは、少なくとも１つの装着用開口２０２を含む。脚部装着区画１０８Ａ（または脚部装着区画１０８Ｂ）は、当業者に周知であるタイプの任意の数の装着用開口（たとえば、装着用開口２０４〜２１０）を含んでいてもよく、任意の数の装着用開口は、本開示に係る装着用開口に託された機能を実行するために共同で動作可能であることを理解されたい。
【００２０】
本開示の少なくとも１つの実施形態において、装着用開口２０２および任意の複数の装着用開口（たとえば、装着用開口２０４〜２１０）は、脚部装着区画１０８Ａの長さに沿って互いから等間隔に離間している。本明細書でさらに開示されるように、装着用開口２０２（および装着用開口２０４〜２１０）は、脚部１１０Ａを受容するように構成されていることを理解されたい。
【００２１】
ここで図３を参照すると、本開示の１つの実施形態に係る自在型敷居装着可能装置の脚部１１０Ａの側面図が図示されている。脚部１１０Ａは、複数のフック部材３０２Ａ、３０２Ｂおよび３０２Ｃと、第１の部材３０４と、遠位端３０６と、湾曲部材３０８と、を含む。本開示の少なくとも１つの実施形態において、第１の部材３０４および湾曲部材３０８は、プラットフォーム１０２のための支持を形成するように結合している。
【００２２】
本開示の少なくとも１つの実施形態において、フック部材３０２Ａ、３０２Ｂおよび３０２Ｃは、鉤状（ｓｈａｐｅｄ  ｉｎ  ａ  ｍｉｔｅｒ）に成形され、装着用開口２０２（または装着用開口２０４〜２１０）に挿入されるように構成されている。たとえば、脚部装着区画１０８Ａおよび脚部１１０Ａが係合し、互いに対して取り付けられるように、フック部材３０２Ａ、３０２Ｂおよび３０２Ｃのそれぞれは、脚部装着区画１０８Ａに沿って位置付けられ、装着用開口（たとえば、装着用開口２０２〜２１０）に挿入されてもよい。いくつかの実施形態において、フック部材３０２Ａ、３０２Ｂおよび３０２Ｃのそれぞれは、互いから等距離に位置付けられ、フック部材３０２Ａ、３０２Ｂおよび３０２Ｃのそれぞれが対応する装着用開口に挿入されてもよいように、装着用開口の挿入点と位置合わせするよう離間していることを理解されたい。特に、装着用開口およびフック部材は、共同して互いに係合し、脚部１１０Ａ（または脚部１１０Ｂ）をプラットフォーム１０２に動作可能に固着させるように、成形され寸法決めされる。
【００２３】
図３では、３つのフック部材３０２Ａ、３０２Ｂおよび３０２Ｃのみが図示されているが、装着用開口を介して、プラットフォーム１０２との確実な係合を確保するように、脚部１１０Ａが任意の数のフック部材を含んでもよいことが本開示の範囲内であることを理解されたい。
【００２４】
さらに、当業者には周知であると考えられるように、フック部材および装着用開口が、公知のパーチシステムの多くで利用される装着に通常関連付けられた任意の数の係止機構を含んでもよいとともに、プラットフォーム１０２および脚部１１０Ａ（または脚部１１０Ｂ）を互いに対して動作可能に取り付けてもよいことをさらに理解されたい。
【００２５】
本開示の少なくとも１つの実施形態において、脚部１１０Ａは、様々なサイズの窓敷居に対応するように、プラットフォーム１０２の下側に、脚部装着区画１０８Ａのおよその長さに選択可能に位置付けられてもよい。たとえば、図４Ａを参照すると、大略的に４００で示される、本開示の少なくとも１つの実施形態に係る敷居装着可能装置１００の側面図が図示されている。図４Ａにおいて、脚部１１０Ａの遠位端３０６が吸盤１０６Ａと実質的に同一直線状であるとともに場所４０６付近で窓４０２に当接するように選択可能に位置付けられる脚部１１０Ａが図示されている。吸盤１０６Ａは、位置４０４付近で窓４０２に固着されている。
【００２６】
敷居装着可能装置１００は、動作し、これによって、プラットフォーム１０２上に置かれた任意の物体（たとえば、飼い猫）によって生じる任意の下向きの力が、遠位端３０６の脚部１１０Ａによって窓４０２に対して加えられた内向きの力、および場所４０４付近において窓４０２の吸盤１０６Ａによって加えられた内向きの力によって、対抗されることを理解されたい。
【００２７】
本開示の少なくとも１つの実施形態において、脚部１１０Ａは、窓敷居の多様な厚さに対応するように、脚部装着区画１０８Ａのおよその長さに選択可能に位置付けられる。たとえば、図４Ｂを参照すると、大略的に４５０で示される、本開示の少なくとも１つの実施形態に係る敷居装着可能装置１００の側面図が図示されている。本開示の少なくとも１つの実施形態において、図４Ｂに示すように、窓４０２は、敷居４０２Ａを含み、敷居４０２Ａは、窓４０２より広くてもよい幅を有する。本開示の少なくとも１つの実施形態において、脚部１１０Ａは、敷居４０２Ａの幅に少なくとも部分的に基づいて、脚部装着区画１０８Ａのおよその長さに選択可能に位置付けられ、プラットフォーム１０２を実質的に水平な姿勢に支持しながら、遠位端３０６が幅の広い敷居４０２Ａに当接するように、プラットフォーム１０２の後縁部から離れて位置付けられている。吸盤１０６Ａおよび遠位端３０６は、同一直線状ではないが、それでもなお、プラットフォーム１０２上に置かれた任意の物体（たとえば、飼い猫）の下向きの力を支持するように、連動して動作することを理解されたい。
【００２８】
ここで図５を参照すると、大略的に２００で示される、一実施形態に係る自在型敷居装着可能装置の下面斜視図が図示されている。敷居装着可能装置２００は、プラットフォーム１０２を備え、プラットフォーム１０２は楕円形状である。敷居装着可能装置２００は、複数の装着用開口２０２および２０４と、脚部１１０Ａおよび１１０Ｂと、吸盤１０６Ａおよび１０６Ｂと、脚部装着区画１０８Ａおよび１０８Ｂと、をさらに備える。
【００２９】
図６は、一実施形態に係る自在型敷居装着可能装置１００の下面斜視図である。図７は、一実施形態に係る自在型敷居装着可能装置１００の部分下面図である。図８は、一実施形態に係る自在型敷居装着可能装置１００の上面斜視図である。図９は、一実施形態に係る自在型敷居装着可能装置１００の上面図である。図１０は、一実施形態に係る自在型敷居装着可能装置１００の上面斜視図である。図１０は、一実施形態に係る自在型敷居装着可能装置１００の上面図である。図１１は、一実施形態に係る自在型敷居装着可能装置１００の上面図である。図１３は、一実施形態に係る自在型敷居装着可能装置１００の部分下面図である。図１４は、一実施形態に係る自在型敷居装着可能装置１００の背面斜視図である。
【００３０】
上記の説明は、本発明の特定の実施形態に言及しているが、多くの変更例が、本発明の趣旨から逸脱することなく、なされてもよいことが理解されるであろう。添付の概念は、本発明の真の範囲および趣旨の範囲内であると考えられるようなかかる変更例に及ぶことを意図している。したがって、本開示の実施形態は、あらゆる点で例示的であり、非限定的であると考えられるべきであり、本発明の範囲は、前述の説明ではなく付属の概念によって示され、したがって、本概念の等価物の意味および範囲内にあるすべての変形例は、本発明に包含されることが意図される。
【図１】
2019141023.tif 000003
【図２】
2019141023.tif 000004
【図３】
2019141023.tif 000005
【図４Ａ】
2019141023.tif 000006
【図４Ｂ】
2019141023.tif 000007
【図５】
2019141023.tif 000008
【図６】
2019141023.tif 000009
【図７】
2019141023.tif 000010
【図８】
2019141023.tif 000011
【図９】
2019141023.tif 000012
【図１０】
2019141023.tif 000013
【図１１】
2019141023.tif 000014
【図１２】
2019141023.tif 000015
【図１３】
2019141023.tif 000016
【図１４】
2019141023.tif 000017
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
敷居および窓に装着するための敷居装着可能装置であって、前記敷居装着可能装置は、
後縁部および少なくとも１つの装着機構を含むプラットフォームであって、前記少なくとも１つの装着機構は、前記プラットフォームの幅に沿って前記後縁部から離れる方向に延びる、プラットフォームと、
近位端および遠位端を有する脚部であって、前記脚部の前記近位端が前記プラットフォームの下側において前記少なくとも１つの装着機構に固着され、前記敷居の前記幅に少なくとも部分的に基づいて前記少なくとも１つの装着機構に選択可能に位置付け可能である、脚部と、
前記プラットフォームの前記後縁部に動作可能に連結された少なくとも１つの吸盤と、を備え、
前記プラットフォームは、前記装置が前記少なくとも１つの吸盤を介して前記窓に装着された場合、実質的に水平な姿勢を維持し、前記脚部の前記遠位端は、前記敷居に当接する、敷居装着可能装置。
【請求項２】
前記少なくとも１つの装着機構は、複数の装着用開口を含む、請求項１に記載の敷居装着可能装置。
【請求項３】
前記脚部は、前記複数の装着用開口のうちの少なくとも１つに挿入されるように構成された少なくとも１つのフック部材を含む、請求項２に記載の敷居装着可能装置。
【請求項４】
前記プラットフォームの前記後縁部に対して実質的に垂直に延びる少なくとも１つの装着点をさらに備え、前記少なくとも１つの吸盤は、前記少なくとも１つの装着点に固着されている、請求項１〜３のいずれか一項に記載の敷居装着可能装置。
【請求項５】
前記脚部は、第１の部材および湾曲部材をさらに含み、前記第１の部材および前記湾曲部材は、前記プラットフォームのための支持を形成するように結合している、請求項１〜４のいずれか一項に記載の敷居装着可能装置。
【請求項６】
前記少なくとも１つの装着機構は、前記プラットフォームの中間区画付近に位置している、請求項１〜５のいずれか一項に記載の敷居装着可能装置。
【請求項７】
前記プラットフォームは、楕円形、正方形、矩形、および円形から選択された形状を含む、請求項１〜６のいずれか一項に記載の敷居装着可能装置。
【手続補正２】
【補正対象書類名】明細書
【補正対象項目名】００１１
【補正方法】変更
【補正の内容】
【００１１】
【図１】図１は、一実施形態に係る自在型敷居装着可能装置の上面斜視図である。
【図２】図２は、一実施形態に係る自在型敷居装着可能装置の部分上面図である。
【図３】図３は、一実施形態に係る自在型敷居装着可能装置の脚部の側面図である。
【図４Ａ】図４Ａは、一実施形態に係る、窓に装着された自在型敷居装着可能装置の側面図である。
【図４Ｂ】図４Ｂは、一実施形態に係る、窓および敷居に装着された自在型敷居装着可能装置の側面図である。
【図５】図５は、一実施形態に係る自在型敷居装着可能装置の下面斜視図である。
【図６】図６は、一実施形態に係る自在型敷居装着可能装置の下面図である。
【図７】図７は、一実施形態に係る自在型敷居装着可能装置の部分下面図である。
【図８】図８は、一実施形態に係る自在型敷居装着可能装置の上面斜視図である。
【図９】図９は、一実施形態に係る自在型敷居装着可能装置の上面図である。
【図１０】図１０は、一実施形態に係る自在型敷居装着可能装置の上面斜視図である。
【図１１】図１１は、一実施形態に係る自在型敷居装着可能装置の上面図である。
【図１２】図１２は、一実施形態に係る自在型敷居装着可能装置の背面図である。
【図１３】図１３は、一実施形態に係る自在型敷居装着可能装置の部分上面斜視図である。
【図１４】図１４は、一実施形態に係る自在型敷居装着可能装置の背面斜視図である。
【手続補正３】
【補正対象書類名】明細書
【補正対象項目名】００２９
【補正方法】変更
【補正の内容】
【００２９】
図６は、一実施形態に係る自在型敷居装着可能装置１００の下面図である。図７は、一実施形態に係る自在型敷居装着可能装置１００の部分下面図である。図８は、一実施形態に係る自在型敷居装着可能装置１００の上面斜視図である。図９は、一実施形態に係る自在型敷居装着可能装置１００の上面図である。図１０は、一実施形態に係る自在型敷居装着可能装置１００の上面斜視図である。図１１は、一実施形態に係る自在型敷居装着可能装置１００の上面図である。図１２は、一実施形態に係る自在型敷居装着可能装置１００の背面図である。図１３は、一実施形態に係る自在型敷居装着可能装置１００の部分上面斜視図である。図１４は、一実施形態に係る自在型敷居装着可能装置１００の背面斜視図である。
【外国語明細書】
2019141023.tif 000018
2019141023.tif 000019
2019141023.tif 000020
2019141023.tif 000021
2019141023.tif 000022
2019141023.tif 000023
2019141023.tif 000024
2019141023.tif 000025
2019141023.tif 000026
2019141023.tif 000027
2019141023.tif 000028
2019141023.tif 000029
2019141023.tif 000030
2019141023.tif 000031
2019141023.tif 000032
【図１】
2019141023.tif 000033
【図２】
2019141023.tif 000034
【図３】
2019141023.tif 000035
【図４Ａ】
2019141023.tif 000036
【図４Ｂ】
2019141023.tif 000037
【図５】
2019141023.tif 000038
【図６】
2019141023.tif 000039
【図７】
2019141023.tif 000040
【図８】
2019141023.tif 000041
【図９】
2019141023.tif 000042
【図１０】
2019141023.tif 000043
【図１１】
2019141023.tif 000044
【図１２】
2019141023.tif 000045
【図１３】
2019141023.tif 000046
【図１４】
2019141023.tif 000047